(57)【要約】      （修正有）【課題】放電ランプの位置の調整を繰り返し行うことができる放電ランプ組立体を提供する。【解決手段】放電ランプ組立体３は、放電ランプ２１と、ランプ固定板２２と、固定用口金２３と、固定機構３１とを備えている。放電ランプ２１は、発光管２４と、発光管２４の軸方向の一端に設けられたランプ側口金２４ａと、を有している。ランプ固定板２２は、ランプ側口金２４ａに設けられた固定部２５に固定されると共に、第１の方向Ｘ及び第２の方向Ｙに移動可能としている。また、固定用口金２３は、放電ランプ２１のランプ側口金２４ｂを挿入する挿入孔２３ａを有し、ランプ固定板２２が重ね合わされ、発光管２４の軸方向と直交し、かつ互いに直交する２つの方向にランプ固定板を移動可能に支持する。そして、固定機構３１は、ランプ固定板２２を固定用口金２３に対して着脱可能に固定する。【選択図】図３
0003166328.tif 000002
【実用新案登録請求の範囲】
【請求項１】
陰極及び陽極が内蔵された発光管と、前記発光管の一端に設けられたランプ側口金と、を有する放電ランプと、
前記ランプ側口金に設けられた固定部に固定されると共に、前記発光管の軸方向と直交する第１の方向と、前記発光管の軸方向と直交し、且つ前記第１の方向とも直交する第２の方向に移動可能なランプ固定板と、
前記放電ランプの前記ランプ側口金を挿入する挿入孔を有し、前記ランプ固定板が重ね合わさる固定用口金と、
前記ランプ固定板を前記固定用口金に対して着脱可能に固定する固定機構と、
を備えた放電ランプ組立体。
【請求項２】
前記固定機構は、前記ランプ固定板を前記固定用口金に押し付ける頭部と、前記固定用口金に設けられた固定穴に螺合されるねじ部と、を有する固定ねじであり、
前記ランプ固定板には、前記固定ねじのねじ部が貫通する調整孔が設けられている
請求項１に記載の放電ランプ組立体。
【請求項３】
前記ランプ固定板に設けた前記調整孔の大きさは、前記固定ねじの前記ねじ部よりも大きく形成されている
請求項２に記載の放電ランプ組立体。
【請求項４】
前記ランプ固定板と前記固定ねじの前記頭部との間には、座金が介在されており、
前記調整孔の大きさは、前記座金より小さく設定されている
請求項３に記載の放電ランプ組立体。
【請求項５】
前記ランプ固定板は、前記固定用口金に重なり合う第１のランプ固定板と、
前記第１のランプ固定板に重なり合うと共に前記放電ランプが固定される第２のランプ固定板と、からなり、
前記第１のランプ固定板は、前記第１の方向及び前記第２の方向のうち一方に移動可能であり、
前記第２のランプ固定板は、前記第１の方向及び前記第２の方向のうち残りの他方に移動可能である
請求項１〜４のいずれかに記載の放電ランプ組立体。
【請求項６】
前記固定機構は、
前記ランプ固定板の周縁部を前記固定用口金に押し付ける固定爪と、
前記固定爪を前記固定用口金に固定する固定ねじと、
から構成される
請求項１に記載の放電ランプ組立体。
【請求項７】
前記放電ランプにおける前記固定用口金に対する取り付け位置を、前記発光管の軸方向である第３の方向に調整する調整機構を更に備えた
請求項１〜６のいずれかに記載の放電ランプ組立体。
【請求項８】
前記調整機構は、前記放電ランプの前記ランプ側口金と前記ランプ固定板、又は前記ランプ固定板と前記固定用口金との間に介在されるスペーサである
請求項７に記載の放電ランプ組立体。
【請求項９】
前記放電ランプの位置合わせを行い、前記固定機構によって前記ランプ固定板を前記固定用口金に固定し後に、前記放電ランプの前記ランプ側口金と前記固定用口金の前記挿入孔との間には、接着剤が注入される
請求項１〜８のいずれかに記載の放電ランプ組立体。
【請求項１０】
光を照射する放電ランプ組立体と、
前記放電ランプ組立体を保持するランプホルダと、
前記放電ランプ組立体から照射された光を集光する集光手段と、
前記集光手段によって集光された光が照射され、外部に前記光を導く導光手段と、から構成され、
前記放電ランプ組立体は、
陰極及び陽極が内蔵された発光管と、前記発光管の一端に設けられたランプ側口金と、を有する放電ランプと、
前記ランプ側口金に設けられた固定部に固定されると共に、前記発光管の軸方向と直交する第１の方向と、前記発光管の軸方向と直交し、且つ前記第１の方向とも直交する第２の方向に移動可能なランプ固定板と、
前記放電ランプの前記ランプ側口金を挿入する挿入孔を有し、前記ランプ固定板が重ね合わさる固定用口金と、
前記ランプ固定板を前記固定用口金に対して着脱可能に固定する固定機構と、を備えた
光照射装置。
【考案の詳細な説明】
【技術分野】
【０００１】
本考案は、陽極及び陰極を有する放電ランプに固定用口金を取り付けた放電ランプ組立体、及びこの放電ランプ組立体を備えた光照射装置に関するものである。
【背景技術】
【０００２】
従来から、半導体、液晶基板等の露光や検査だけでなく、レンズやスピーカのボイスコイル等の電子部品を接着させる際に用いる紫外線硬化樹脂を硬化させるために光照射装置を用いて被照射物に光を照射することが行われている。
【０００３】
従来の、この種の光照射装置としては、例えば特許文献１に記載されているようなものがある。この特許文献１に記載されている光照射装置は、放電ランプと固定用口金とからなる放電ランプ組立体と、放電ランプの光を反射し、且つ集光するドーム状の集光ミラーからなる集光手段と、例えば光ファイバ素線の束からなる導光手段と、を有している。また、放電ランプ組立体は、筐体内に設けられたランプホルダに取り付けられている。
【０００４】
このような構成を有する光照射装置は、放電ランプから出射された光が集光手段によって反射されると共に、導光手段の入射口に集光される。そして、導光手段によって光を外部に照射している。なお、効率良く光を照射するためには、放電ランプの輝点と集光手段の第１の焦点とが一致し、更に集光手段の第２の焦点と導光手段の入射口が一致することが必要である。
【先行技術文献】
【特許文献】
【０００５】
【特許文献１】特開２００８−２３４９６４号公報
【考案の概要】
【考案が解決しようとする課題】
【０００６】
しかしながら、特許文献１に記載された光照射装置では、放電ランプと固定用口金は、接着剤を用いて接着固定されていた。そして、接着剤は、硬化する際に収縮すると共に場所によって硬化する速度に違いが生じていた。そのため、接着剤が硬化する際に放電ランプが移動し、放電ランプの輝点と集光手段の第１の焦点がズレた状態で放電ランプと固定用口金が固定されるおそれがあった。そして、放電ランプの輝点と集光手段の第１の焦点が一致しないことによって、導光手段から出射される光の量が低下する、という問題を有していた。
【０００７】
また、一度接着剤が硬化すると、固定用口金から放電ランプを取り外すことが困難である。そのため、再び放電ランプの輝点の位置を調節することができず、輝点の位置がズレた状態で固定された放電ランプ組立体は、廃棄しなければならなかった。その結果、放電ランプ組立を製造する際の歩留まりが悪くなる、という問題も有していた。
【０００８】
本考案の目的は、上記の問題点を考慮し、放電ランプの位置の調整を繰り返し行うことができる放電ランプ組立体及び光照射装置を提供することにある。
【課題を解決するための手段】
【０００９】
上記課題を解決し、本考案の目的を達成するため、本考案の放電ランプ組立体は、陰極及び陽極が内蔵された発光管と、発光管の一端に設けられたランプ側口金と、を有する放電ランプを備えている。また、ランプ側口金に設けられた固定部に固定されると共に、発光管の軸方向と直交する第１の方向と、発光管の軸方向と直交し、且つ第１の方向とも直交する第２の方向に移動可能なランプ固定板を備えている。そして、放電ランプのランプ側口金を挿入する挿入孔を有し、ランプ固定板が重ね合わさる固定用口金と、ランプ固定板を固定用口金に対して着脱可能に固定する固定機構と、を備えている。
【００１０】
また、固定機構は、ランプ固定板を固定用口金に押し付ける頭部と、固定用口金に設けられた固定穴に螺合されるねじ部と、を有する固定ねじである。
【００１１】
更に、本考案の光照射装置は、光を照射する放電ランプ組立体と、放電ランプ組立体を保持するランプホルダと、放電ランプ組立体から照射された光を集光する集光手段と、集光手段によって集光された光が照射され、外部に光を導く導光手段と、から構成されている。
更に、放電ランプ組立体は、上述したとおりのものであり、陰極及び陽極が内蔵された発光管と、発光管の一端に設けられたランプ側口金と、を有する放電ランプとを備えている。また、ランプ側口金に設けられた固定部に固定されると共に、発光管の軸方向と直交する第１の方向と、発光管の軸方向と直交し、且つ第１の方向とも直交する第２の方向に移動可能なランプ固定板を備えている。そして、放電ランプのランプ側口金を挿入する挿入孔を有し、ランプ固定板が重ね合わさる固定用口金と、ランプ固定板を固定用口金に対して着脱可能に固定する固定機構と、を備えている。
【考案の効果】
【００１２】
本考案の放電ランプ組立体及び光照射装置によれば、放電ランプをランプ固定板に固定し、このランプ固定板を固定用口金に対して着脱可能に固定している。これにより、放電ランプの輝点と集光手段の焦点が一致していない場合には、ランプ固定板と固定用口金との固定を解除することで、繰り返し輝点の位置の調整を行うことができる。その結果、従来のように組立に失敗し、輝点の位置がズレた状態で固定された放電ランプ組立体を廃棄する必要がなくなり、歩留まりの向上を図ることができる。
【００１３】
更に、接着剤を用いずに固定機構を用いて固定している。そのため、従来のように接着剤が硬化するまでの間に放電ランプの輝点の位置がズレるという、不具合を解消することができる。
【図面の簡単な説明】
【００１４】
【図１】本考案の光照射装置の実施の形態例を示す断面図である。
【図２】本考案の光照射装置の実施の形態例の要部を拡大して示す断面図である。
【図３】本考案の放電ランプ組立体の第１の実施の形態例を示すもので、図３(ａ)は、放電ランプ組立体の上面図、図３（ｂ）は、放電ランプ組立体の正面図である。
【図４】本考案の放電ランプ組立体の第１の実施の形態例にかかる固定用口金を示す上面図である。
【図５】本考案の放電ランプ組立体の第１の実施の形態例にかかるランプ固定板を示す上面図である。
【図６】本考案の放電ランプ組立体の第１の実施の形態例にかかる第３の方向への位置合わせを説明する断面図である。
【図７】本考案の放電ランプ組立体の第１の実施の形態例にかかる第３の方向への位置合わせを説明する断面図である。
【図８】本考案の放電ランプ組立体の第２の実施の形態例を示すもので、図８(ａ)は、放電ランプ組立体の上面図、図８（ｂ）は、放電ランプ組立体の正面図である。
【図９】本考案の放電ランプ組立体の第２の実施の形態例にかかるランプ固定板を示す上面図である。
【図１０】本考案の放電ランプ組立体の第３の実施の形態例を示すもので、図１０(ａ)は、放電ランプ組立体の上面図、図１０（ｂ）は、放電ランプ組立体の正面図である。
【図１１】本考案の放電ランプ組立体の第３の実施の形態例にかかる第１のランプ固定板を示す上面図である。
【図１２】本考案の放電ランプ組立体の第３の実施の形態例にかかる第２のランプ固定板を示す上面図である。
【図１３】本考案の放電ランプ組立体の第４の実施の形態例を示すもので、図１３(ａ)は、放電ランプ組立体の上面図、図１３（ｂ）は、放電ランプ組立体の正面図である。
【図１４】本考案の放電ランプ組立体の第４の実施の形態例にかかる固定用口金を示す上面図である。
【図１５】本考案の放電ランプ組立体の第４の実施の形態例にかかるランプ固定板を示す上面図である。
【図１６】図１３（ａ）に示す放電ランプ組立体をＮ−Ｎ線で断面した断面図である。
【図１７】本考案の放電ランプ組立体の第５の実施の形態例を示すもので、図１７(ａ)は、放電ランプ組立体のランプ固定板を示す上面図、図１７（ｂ）は、ランプ固定板のみを断面して示す正面図である。
【考案を実施するための形態】
【００１５】
以下、本考案の光照射装置の実施の形態例について、図１〜図１７を参照して説明する。なお、各図において共通の部材には、同一の符号を付している。また、本考案は、以下の形態に限定されるものではない。
また、説明は以下の順序で行う。
１．第１の実施の形態例
１−１．光照射装置の構成
１−２．放電ランプ組立体の構成
１−３．放電ランプ組立体の組み立て方法
２．第２の実施の形態例
３．第３の実施の形態例
４．第４の実施の形態例
５．第５の実施の形態例
【００１６】
＜１．第１の実施の形態例＞
まず、本考案の光照射装置及び放電ランプ組立体の第１の実施の形態例（以下、「本例」という。）の構成を図１〜図７に従って説明する。
【００１７】
１−１．光照射装置の構成
図１は、本例の光照射装置１を示す断面図、図２は、本例の光照射装置１の要部を拡大して示す断面図である。
図１に示す、本例の光照射装置１は、例えば、医療分野での生体内外部の紫外線照射による殺菌、治療や、紫外線硬化樹脂に紫外線を照射して硬化させるために用いるものである。図１に示すように、光照射装置１は、中空の筐体２と、放電ランプ組立体３と、集光手段の一具体例を示す集光ミラー４と、導光手段であるライトガイド６と、ランプホルダ７とを有している。
【００１８】
筐体２は、中空の略直方体状に形成されている。この筐体２の内部には、放電ランプ組立体３と、集光ミラー４と、ランプホルダ７が収納されている。また、筐体２には、内部空間を上下に仕切る仕切り板８が設けられている。この仕切り板８には、開口部８ａが形成されている。そして、仕切り板８の開口部８ａの周囲には、取付台座９が設けられている。
【００１９】
図２に示すように、取付台座９は、仕切り板８に固定される脚部１１と、脚部１１に支持された台座部１２とを有している。台座部１２は、平板状に形成されており、開口部１２ａが設けられている。そして、この開口部１２ａの周縁部にはランプホルダ７が設けられている。ランプホルダ７は、その取り付け位置が台座部１２の平面上で調整可能に構成されている。そして、このランプホルダ７に、放電ランプ組立体３が保持される。
【００２０】
また、取付台座９の台座部１２と仕切り板８の間には、集光ミラー４が配置されている。集光ミラー４は、ドーム状に形成されており、その頂点部には、略円形に開口された開口部４ａが設けられている。そして、集光ミラー４の開口部４ａには、ランプホルダ７にセットされた放電ランプ組立体３が貫通し、集光ミラー４の内側に放電ランプ組立体３が配置されている。また、集光ミラー４の第１の焦点Ｆ１と、後述する放電ランプ組立体３の輝点Ｐとが一致するように設定される。
【００２１】
そして、この集光ミラー４は、放電ランプ組立体３から出射された光をライトガイド６に集光し、且つ反射させている。このとき、集光ミラー４によって反射された光は、仕切り板８の開口部８ａを通過する。
【００２２】
なお、集光ミラー４に設けた開口部４ａの形状は、略円形に限定されるものではなく、ランプホルダ７に保持された放電ランプ組立体３と集光ミラー４とが接触しない形状であればよい。また、本例では、集光手段としてドーム状の集光ミラーを用いたい例を説明したが、これに限定されるものではない。集光手段としては、集光ミラー４以外に集光レンズ等を用いることもでき、あるいは集光ミラーと集光レンズを組み合わせて集光手段を構成してもよい。
【００２３】
更に、筐体２の底面部２ａには、ライトガイド取付孔１３が形成されている。そして、ライトガイド取付孔１３に、ライトガイド６がライトガイド接続部１４を介して取り付けられている。ライトガイド６は、例えば複数の光ファイバ素線を束にしたものである。そして、ライトガイド６におけるライトガイド接続部１４と反対側の端部には、例えば不図示の照射ヘッドが取り付けてもよく、あるいはライトガイド６から直接光を外部に照射するようにしてもよい。また、ライトガイド６に入射口は、集光ミラー４の第２の焦点Ｆ２と一致している。
【００２４】
なお、導光手段としてライトガイド６を光ファイバの束で構成した例を説明したが、これに限定されるものではなく、導光手段としては、例えば、光伝導ロッドや、レンズやミラーを用いたリレー光学系等その他各種の光を導くものが適用できる。
【００２５】
更に、筐体２における底面部２ａと対向する上面部２ｂには、放熱ファン１６が取り付けられている。この放熱ファン１６によって、筐体２内の空気を排気することにより、放電ランプ組立体３、集光ミラー４や不図示の電源装置等が冷却される。
【００２６】
１−２．放電ランプ組立体
次に、図２〜図７を参照して放電ランプ組立体３の構成について説明する。
図３（ａ）は、放電ランプ組立体３を示す上面図、図３（ｂ）は、放電ランプ組立体３を示す正面図である。
図３（ａ）及び図３（ｂ）に示すように、放電ランプ組立体３は、放電ランプ２１と、ランプ固定板２２と、固定用口金２３と、固定機構である固定ねじ３１とを有している。固定ねじ３１は、おねじが形成されたねじ部３１ａと、ねじ部３１ａの軸方向の一端に設けられた頭部３１ｂとから構成されている（図３（ｂ）参照）。
【００２７】
放電ランプ２１は、中心が膨出した略円筒形をなす発光管２４と、発光管２４に内蔵された一対の陽極２６及び陰極２７とを有している。発光管２４は、例えば石英ガラスで形成されており、この発光管２４内には、水銀や希ガスが充填されている。また、発光管２４の軸方向の一側には、第１のランプ側口金２４ａが設けられており、軸方向の他側には第２のランプ側口金２４ｂが設けられている。そして、第１のランプ側口金２４ａ及び第２のランプ側口金２４ｂの端面からは、おねじが形成された固定部２５が突出している。更に、発光管２４の表面の一部には、反射膜２４ｃが設けられている。
【００２８】
ここで、放電ランプ２１に電流を流すと、陰極２７から陽極２６に電子が放出され、陰極２７と陽極２６との間でアークが発生する。そして、このアークが発生した箇所が、放電ランプ２１の輝点Ｐとなる。
【００２９】
なお、放電ランプ２１としては、例えば水銀キセノンランプや、超高圧水銀ランプ等を用いることができ、特に輝点Ｐが点光源となるショートアークランプが好ましい。
【００３０】
図４は、放電ランプ組立体３にかかる固定用口金２３を示す上面図である。
図３（ｂ）及び図４に示すように、固定用口金２３は、略円柱状に形成されている。そして、固定用口金２３の中心には、挿入孔２３ａが設けられている。この挿入孔２３ａは、固定用口金２３の軸方向の一端から他端にかけて連続して形成されている。更に、挿入孔２３ａの直径は、放電ランプ２１の第１のランプ側口金２４ａの直径よりも大きく設定されている。そして、図２に示すように、固定用口金２３の挿入孔２３ａには、放電ランプ２１の第１のランプ側口金２４ａが挿入される。
【００３１】
更に、固定用口金２３の軸方向の一端面には、２つの固定穴２３ｂ、２３ｂが形成されている。この２つの固定穴２３ｂ、２３ｂは、挿入孔２３ａを間に挟むようにして挿入孔２３ａの両側に配置されている。また、２つの固定穴２３ｂ、２３ｂには、めねじが形成されており、固定ねじ３１のねじ部３１ａが螺合される。更に、図３（ａ）及び図３（ｂ）に示すように、固定用口金２３における固定穴２３ｂ、２３ｂが設けられた一端面には、ランプ固定板２２が重ね合わされている。
【００３２】
図２に示すように、この固定用口金２３は、放電ランプ２１に取り付けられた状態で、ランプホルダ７に保持される。なお、本例では、固定用口金２３を略円柱状に形成した例を説明したが、これに限定されるものではない。例えば、ランプホルダ７に保持された際に軸方向回りに回転することを防止するために、固定用口金２３の側面に平面部を形成してもよい。更に、固定用口金２３の形状は、を四角柱や六角柱等の角柱状や、楕円柱状であってもよい。
【００３３】
図５は、放電ランプ組立体３にかかるランプ固定板２２を示す上面図である。
図３（ｂ）及び図５に示すように、ランプ固定板２２は、略円形の平板状に形成されている。ランプ固定板２２には、貫通孔２２ａと、２つの調整孔２２ｂ、２２ｂが形成されている。図５に示すように、貫通孔２２ａは、ランプ固定板２２の略中心に形成されている。
【００３４】
また、図２及び図３（ｂ）に示すように、貫通孔２２ａには、放電ランプ２１の固定部２５が貫通される。そして、貫通孔２２ａから貫通した放電ランプ２１の固定部２５には、ナット３２が固定されている。これにより、ランプ固定板２２がナット３２と放電ランプ２１の第１のランプ側口金２４ａに挟持されることで、ランプ固定板２２と放電ランプ２１が一体に固定される。
【００３５】
２つの調整孔２２ｂ、２２ｂは、貫通孔２２ａを間に挟むようにして貫通孔２２ａの両側に配置されている。図２及び図３（ｂ）に示すように、この２つの調整孔２２ｂ、２２ｂの直径は、固定ねじ３１のねじ部３１ａの径よりも大きく設定されており、固定ねじ３１の頭部３１ｂの径よりは、小さく設定されている。ここで、調整孔２２ｂとねじ部３１ａの寸法差は、例えば２ｍｍ以内に設定されている。
【００３６】
また、ランプ固定板２２の２つの調整孔２２ｂ、２２ｂには、固定ねじ３１のねじ部３１ａが貫通する。そして、ランプ固定板２２は、固定ねじ３１の頭部３１ｂによって固定用口金２３に押し付けられて、固定用口金２３と一体に固定される。このように、固定ねじ３１を用いた着脱可能な固定であるため、ランプ固定板２２から固定用口金２３を取り外すことができる。
【００３７】
更に、ランプ固定板２２と固定ねじ３１の頭部３１ｂとの間には、座金３３が介在されている。なお、調整孔２２ｂの直径が、固定ねじ３１の頭部３１ｂの直径より小さく設定されている場合では、座金３３を設けなくてもよい。そして、調整孔２２ｂの直径は、座金３３の直径よりも小さく設定されている。
【００３８】
また、ランプ固定板２２を略円形状に形成した例を説明したが、これに限定されるものではなく、例えば四角形、六角形や楕円形等その他各種の形状に形成することができるものである。
【００３９】
ここで、固定ねじ３１を締め付ける前では、固定ねじ３１のねじ部３１ａと調整孔２２ｂの寸法差だけ固定用口金２３の一端面に沿ってランプ固定板２２を移動させることができる。すなわち、ランプ固定板２２は、放電ランプ２１の発光管２４の軸方向と直交する第１の方向Ｘと、軸方向及び第１の方向Ｘと直交する第２の方向Ｙにその位置が調整可能である。これにより、放電ランプ２１の輝点Ｐにおける第１の方向Ｘ及び第２の方向Ｙの位置を調節することが可能となる。
【００４０】
図６及び図７は、放電ランプ２１の軸方向、すなわち第３の方向Ｚの位置合わせの方法について説明する断面図である。
図６に示したように、放電ランプ２１を第３の方向Ｚの一側すなわち上方へ上げる際には、固定用口金２３と、ランプ固定板２２の間に薄い平板状のスペーサ２９を挿入する。これに対し、図７に示すように、放電ランプ２１を第３の方向Ｚの他側、すなわち下方へ下げる際には、ランプ固定板２２と、放電ランプ２１の第１のランプ側口金２４ａの間にスペーサ２９を挿入する。また、挿入するスペーサ２９の枚数は、放電ランプ２１を第３の方向Ｚへ移動させる量によって設定されるものである。
【００４１】
なお、第３の方向Ｚへの位置合わせは、スペーサ２９を用いる方法に限定されるものではない。例えば、ランプ固定板２２自体の第３の方向Ｚの厚さを変更することで、放電ランプ２１の第３の方向Ｚの位置合わせを行ってもよい。
【００４２】
１−３．放電ランプ組立体３の組み立て方法
次に、図３を参照して上述した構成を有する放電ランプ組立体３の組み立て方法について説明する。
まず、図３（ｂ）に示すように、放電ランプ２１の第１のランプ側口金２４ａを固定用口金２３の挿入孔２３ａに挿入する。そして、放電ランプ２１の固定部２５をランプ固定板２２に設けた貫通孔２２ａに貫通させる。このとき、必要に応じて、ランプ固定板２２と放電ランプ２１の第１のランプ側口金２４ａとの間又は、固定用口金２３とランプ固定板２２との間に、スペーサ２９を挿入する（図６及び図７参照）。
【００４３】
次に、ランプ固定板２２の貫通孔２２ａから貫通した放電ランプ２１の固定部２５に、ナット３２を取り付ける。そして、ナット３２を締め付けて、ランプ固定板２２をナット３２と放電ランプ２１の第１のランプ側口金２４ａで挟持させる。これにより、ランプ固定板２２と放電ランプ２１が一体に固定される。
【００４４】
なお、固定用口金２３の挿入孔２３ａの直径が、放電ランプ２１の膨出部の外径よりも大きい場合は、放電ランプ２１とランプ固定板２２を先に固定し、その後、固定用口金２３の挿入孔２３ａの上方から放電ランプ２１を挿入してもよい。
【００４５】
次に、ランプ固定板２２を、固定用口金２３の一端面に重ね合わせる。そして、固定ねじ３１をランプ固定板２２の調整孔２２ｂ及び固定用口金２３の固定穴２３ｂに挿入させて、仮組を行う。
【００４６】
次に、ランプ固定板２２を第１の方向Ｘ及び第２の方向Ｙに移動させて、輝点Ｐの位置を所望の位置、すなわち集光手段である集光ミラー４の第１の焦点Ｆ１に合わせる（図２参照）。輝点Ｐの位置を合わせた後、固定ねじ３１を締結し、固定用口金２３の固定穴２３ｂに螺合させる。
【００４７】
これにより、ランプ固定板２２が固定ねじ３１の頭部３１ｂと固定用口金２３によってランプ固定板２２が挟持される。その結果、放電ランプ２１、ランプ固定板２２及び固定用口金２３が着脱可能に固定されて、放電ランプ組立体３の組立が完了する。
【００４８】
ここで、本例の放電ランプ組立体３は、ランプ固定板２２を固定用口金２３に対して固定ねじ３１を用いて固定している。そのため、接着剤を用いた接着固定よりも、短時間で放電ランプ２１と固定用口金２３を固定することができる。
【００４９】
更に、固定ねじ３１を緩めることで、ランプ固定板２２を再び第１の方向Ｘ及び第２の方向Ｙに移動させることができる。これにより、放電ランプ２１の輝点Ｐの位置の調整を繰り返し行うことができる。その結果、従来の放電ランプ組立体のように、組立に失敗し、輝点がズレた状態で固定された放電ランプ組立体を廃棄する必要がなくなる。そして、信頼性の高い放電ランプ組立体３を歩留まり良く組み立てることができる。
【００５０】
なお、位置調整が完了し、且つ固定ねじ３１を締め付けた後であれば、ランプ固定板２２が固定されているため、輝点Ｐの位置が、集光手段である集光ミラー４の第１の焦点Ｆ１からズレるおそれがない。そのため、放電ランプ２１の第１のランプ側口金２４ａと、固定用口金２３との間に接着剤を注入してもよい。これにより、放電ランプ２１と固定用口金２３を強固に固定することができる。
【００５１】
また、本例では、ランプ固定板２２を２つの固定ねじ３１で固定した例を説明したが、これに限定されるものではなく、３つ以上の固定ねじ３１によってランプ固定板２２を固定してもよい。なお、３つ以上の固定ねじ３１を用いる場合、バランスよくランプ固定板２２を固定するために、貫通孔２２ａを中心に等角度間隔で固定することが好ましい。
【００５２】
＜２．第２の実施の形態例＞
次に、図８及び図９を参照して放電ランプ組立体の第２の実施の形態例について説明する。
図８（ａ）及び図８（ｂ）は、放電ランプ組立体４１を示す上面図及び正面図、図９は、放電ランプ組立体４１にかかるランプ固定板４２を示す上面図である。
【００５３】
この第２の実施の形態例にかかる放電ランプ組立体４１が、第１の実施の例にかかる放電ランプ組立体３と異なる点は、ランプ固定板４２の構成である。そのため、ここでは、ランプ固定板４２について説明し、放電ランプ組立体３と共通する部分には同一の符号を付して重複した説明を省略する。
【００５４】
図８（ａ）及び図８（ｂ）に示すように、ランプ固定板４２は、略円形の平板状に形成されている。図９に示すように、このランプ固定板４２には、貫通孔４２ａと、第１の調整孔４２ｂと、第２の調整孔４２ｃが形成されている。貫通孔４２ａは、ランプ固定板４２の略中心に設けられている。この貫通孔４２ａには、放電ランプ２１の固定部２５が貫通される。そして、貫通孔２２ａから貫通した放電ランプ２１の固定部２５には、ナット３２が固定されている。
【００５５】
第１の調整孔４２ｂは、第２の方向Ｙに沿って延在する長孔である。第２の調整孔４２ｃは、貫通孔４２ａを間に挟んで第１の調整孔４２ｂとは第２の方向Ｙの反対側に配置されている。この第２の調整孔４２ｃは、ランプ固定板４２の周方向に沿って略円弧状に開口している。また、第２の調整孔４２ｃを貫通する固定ねじ３１とランプ固定板４２との間には、座金４５が介在されている。
【００５６】
この第２の実施の形態例にかかる放電ランプ組立体４１における放電ランプ２１の位置合わせは、次のようにして行われる。まず、予め固定ねじ３１をランプ固定板４２の第１の調整孔４２ｂ及び第２の調整孔４２ｃに挿入させて、仮組を行う。そして、ランプ固定板４２を第２の方向Ｙに沿って移動させて、第１の調整孔４２ｂを所望の位置に合わせる。そして、第１の調整孔４２ｂを支点にして、ランプ固定板４２を回動させてランプ固定板４２を所望の位置に調整する。
【００５７】
その他の構成は、第１の実施の形態にかかる放電ランプ組立体３と同様であるため、それらの説明は省略する。このような構成を有する放電ランプ組立体４１によっても、上述した第１の実施の形態例にかかる放電ランプ組立体３と同様の作用効果を得ることができる。
【００５８】
＜３．第３の実施の形態例＞
次に、図１０〜図１２を参照して放電ランプ組立体の第３の実施の形態例について説明する。
図１０（ａ）及び図１０（ｂ）は、放電ランプ組立体５１を示す上面図及び正面図である。図１１は、放電ランプ組立体５１にかかる第１のランプ固定板５２を示す上面図、図１２は、放電ランプ組立体にかかる第２のランプ固定板５３を示す上面図である。
【００５９】
この第３の実施の形態例にかかる放電ランプ組立体５１は、２つのランプ固定板５２、５３を設けたものである。そのため、ここでは、第１のランプ固定板５２と、第２のランプ固定板５３について説明し、放電ランプ組立体３と共通する部分には同一の符号を付して重複した説明を省略する。
【００６０】
図１０（ａ）及び図１０（ｂ）に示すように、固定用口金２３の一端面には、第１のランプ固定板５２が重ね合わされている。そして、第１のランプ固定板５２における固定用口金２３と対向する面と反対側の一面には、第２のランプ固定板５３が重ね合わされている。
【００６１】
図１１に示すように、第１のランプ固定板５２は、略円形をなす平板状に形成されている。この第１のランプ固定板５２は、挿入孔５２ａと、２つの第１の調整孔５２ｂ、５２ｂと、２つの固定穴５２ｃ、５２ｃが形成されている。挿入孔５２ａは、第１のランプ固定板５２の中心に形成されている。そして、この挿入孔５２ａには、放電ランプ２１の第１のランプ側口金２４ａが挿入される。
【００６２】
２つの第１の調整孔５２ｂ，５２ｂは、挿入孔５２ａの第１の方向Ｘの両側に形成されている。この第１の調整孔５２ｂは、第１の方向Ｘに沿って延在する長孔である。そして、この第１の調整孔５２ｂには、第１の固定ねじ３１Ａのねじ部３１ａが貫通する。
【００６３】
２つの固定穴５２ｃ、５２ｃは、挿入孔５２ａの第２の方向Ｙの両側に形成されている。この固定穴５２ｃには、めねじが形成されている。そして、この固定穴５２ｃには、後述する第２のランプ固定板５３における第２の調整孔５３ｂを貫通した第２の固定ねじ３１Ｂの不図示のねじ部が螺合される。
【００６４】
図１２に示すように、第２のランプ固定板５３は、略円形の平板状に形成されている。この第２のランプ固定板５３の大きさは、第１のランプ固定板５２よりも若干小さく設定されている。そして、第２のランプ固定板５３には、貫通孔５３ａと、２つの第２の調整孔５３ｂ、５３ｂと、２つの切り欠き５３ｃ、５３ｃが形成されている。
【００６５】
貫通孔５３ａは、第２のランプ固定板５３の略中心に形成されている。この貫通孔５３ａには、放電ランプ２１の固定部２５が貫通される。そして、貫通孔５３ａから貫通した放電ランプ２１の固定部２５には、ナット３２が固定されている。
【００６６】
２つの第２の調整孔５３ｂ，５３ｂは、貫通孔５３ａの第２の方向Ｙの両側に形成されている。この第２の調整孔５３ｂは、第２の方向Ｙに沿って延在する長孔である。そして、この第２の調整孔５３ｂには、第２の固定ねじ３１Ｂのねじ部３１ａが貫通する。
【００６７】
２つの切り欠き５３ｃ，５３ｃは、貫通孔５３ａの第１の方向Ｘの両側に形成されている。切り欠き５３ｃは、第２のランプ固定板５３の外縁から中心に向かって切り欠くことで形成されている。また、この切り欠き５３ｃの大きさは、第１の固定ねじ３１Ａの頭部３１ｂよりも大きく設定されている。なお、座金を第１の固定ねじ３１Ａの頭部３１ｂと第１のランプ固定板５２との間に介在させる場合、切り欠き５３ｃは、座金の直径よりも大きく設定される。
【００６８】
図１０（ａ）に示すように、第１のランプ固定板５２と第２のランプ固定板５３を重ね合わせた際に、第１の調整孔５２ｂの上方に切り欠き５３ｃの開口が配置される。また、第１のランプ固定板５２の固定穴５２ｃの上方に第２の調整孔５３ｂが配置される。
【００６９】
この第３の実施の形態例にかかる放電ランプ組立体５１における放電ランプ２１の位置合わせは、次のようにして行われる。まず、第２のランプ固定板５３と放電ランプ２１を固定する。このとき、図１０（ｂ）に示すように、放電ランプ２１の第１のランプ側口金２４ａは、第１のランプ固定板５２の挿入孔５２ａに挿入される。
【００７０】
次に、第１の固定ねじ３１Ａ及び第２の固定ねじ３１Ｂを取り付けて仮組を行う。そして、第２のランプ固定板５３を第２の方向Ｙに沿って移動させて、放電ランプ２１における第２の方向Ｙの位置を合わせる。次に、第１のランプ固定板５２を第１の方向Ｘに沿って移動させて、放電ランプ２１の第１の方向Ｘの位置を合わせる。
【００７１】
そして、第１の固定ねじ３１Ａ及び第２の固定ねじ３１Ｂを締め付けて、第２のランプ固定板５３を第１のランプ固定板５２に固定すると共に、第１のランプ固定板５２を固定用口金２３に固定する。これにより、放電ランプ２１の第１の方向Ｘが完了した状態で、放電ランプ２１、第１のランプ固定板５２、第２のランプ固定板５３及び固定用口金２３が一体に固定される。
【００７２】
ここで、図１０（ａ）に示すように、第２のランプ固定板５３には、第１の固定ねじ３１Ａの頭部３１ｂよりも大きな切り欠き５３ｃを形成している。そのため、第１の固定ねじ３１Ａと第２のランプ固定板５３が干渉することを防ぐことができる。
【００７３】
その他の構成は、第１の実施の形態にかかる放電ランプ組立体３と同様であるため、それらの説明は省略する。このような構成を有する放電ランプ組立体５１によっても、上述した第１の実施の形態例にかかる放電ランプ組立体３と同様の作用効果を得ることができる。
【００７４】
また、第３の実施の形態例にかかる放電ランプ組立体５１によれば、位置合わせを行う際に、第１の調整孔５２ｂが第１の方向Ｘへのガイドとなり、第２の調整孔５３ｂが第２の方向Ｙへのガイドとなる。これにより、位置合わせを容易に行うことができる。
【００７５】
なお、上述した第３の実施の形態例では、第１のランプ固定板５２を第１の方向Ｘに移動可能とし、第２のランプ固定板５３を第２の方向Ｙに移動可能とした例を説明したが、これに限定されるものではない。すなわち、第１のランプ固定板５２を第２の方向Ｙに移動可能とし、第２のランプ固定板５３を第１方向Ｘに移動可能としてもよい。
【００７６】
＜４．第４の実施の形態例＞
次に、図１３〜図１６を参照して放電ランプ組立体の第４の実施の形態例について説明する。
図１３（ａ）及び図１３（ｂ）は、放電ランプ組立体６１を示す上面図及び正面図である。図１４は、放電ランプ組立体６１にかかる固定用口金６３を示す上面図、図１５は、放電ランプ組立体６１にかかるランプ固定板６２を示す上面図である。また、図１６は、放電ランプ組立体６１の要部を示す断面図である。
【００７７】
この第４の実施の形態例にかかる放電ランプ組立体６１は、第１の実施の例にかかる放電ランプ組立体３と異なる点は、ランプ固定板６２を固定する固定機構の構成である。そのため、放電ランプ組立体３と共通する部分には同一の符号を付して重複した説明を省略する。
【００７８】
図１３（ａ）及び図１３（ｂ）に示すように、放電ランプ組立体６１は、放電ランプ２１と、ランプ固定板６２と、固定用口金６３と、３つの固定爪６４、６４、６４と、３つの固定ねじ３１、３１、３１とを有している。そして、この３つの固定爪６４、６４、６４と、３つの固定ねじ３１、３１、３１が固定機構を構成する。
【００７９】
図１４に示すように、固定用口金６３は、略円柱状に形成されており、その中心には、挿入孔６３ａが設けられている。また、この固定用口金６３の一端面には、３つの固定穴６３ｂ、６３ｂ、６３ｂと、３つの溝６３ｃ、６３ｃ、６３ｃが形成されている。
【００８０】
３つの溝６３ｃ、６３ｃ、６３ｃは、固定用口金６３の一端面から略垂直に凹んだ凹部である。３つの溝６３ｃ、６３ｃ、６３ｃは、挿入孔６３ａから半径方向外側に延在している。この３つの溝６３ｃ、６３ｃ、６３ｃは、略等角度（約１２０°）間隔で形成されている。そして、３つの溝６３ｃ、６３ｃ、６３ｃには、それぞれ固定穴６３ｂが形成されている。固定穴６３ｂには、めねじが形成されており、固定ねじ３１のねじ部３１ａが螺合される。
【００８１】
図１５に示すように、ランプ固定板６２は、略円形の平板状に形成されており、その中心には、貫通孔６２ａが設けられている。図１６に示すように、貫通孔６２ａには、放電ランプ２１の固定部２５が貫通される。そして、貫通孔６２ａから貫通した放電ランプ２１の固定部２５には、ナット３２が固定されている。
【００８２】
固定爪６４には、長孔６４ａが設けられている。そして、固定爪６４は、固定用口金６３に設けた溝６３ｃに配置されている。また、この固定爪６４は、溝６３ｃに沿ってその位置を調整することができる。固定爪６４には、ランプ固定板６２の外縁に当接する突出部６４ｂが設けられている。そして、この固定爪６４を固定ねじ３１で固定することで、ランプ固定板６２は、固定爪６４の突出部６４ｂと固定用口金６３に挟持される。
【００８３】
この第４の実施の形態例にかかる放電ランプ組立体６１における放電ランプ２１の位置合わせは、次のようにして行われる。まず、ランプ固定板６２と放電ランプ２１を一体に固定する。そして、３つの固定爪６４、６４、６４をスライドさせて、３つの固定爪６４、６４、６４の角部をランプ固定板６２の周縁部に当接させる。更に、３つの固定爪６４、６４、６４の長孔６４ａに固定ねじ３１を挿入し、仮組を行う。
【００８４】
次に、ランプ固定板６２を第１の方向Ｘ及び第２の方向Ｙに移動させて、所望の位置に配置する。そして、３つの固定爪６４、６４、６４を固定ねじ３１を用いて固定用口金６３に固定する。すると、ランプ固定板６２の外縁は、固定爪６４の突出部６４ｂと固定用口金６３に挟持される。
【００８５】
このとき、ランプ固定板６２は、３つの固定爪６４、６４、６４によって第１の方向Ｘ及び第２の方向Ｙへの移動が規制される。更に、ランプ固定板６２は、３つの固定爪６４，６４，６４の突出部６４ｂによって、固定用口金６３に押し付けられているため、第３の方向Ｚへの移動も固定される。
【００８６】
その他の構成は、第１の実施の形態にかかる放電ランプ組立体３と同様であるため、それらの説明は省略する。このような構成を有する放電ランプ組立体６１によっても、上述した第１の実施の形態例にかかる放電ランプ組立体３と同様の作用効果を得ることができる。
【００８７】
＜５．第５の実施の形態例＞
次に、図１７（ａ）及び図１７（ｂ）を参照して放電ランプ組立体の第５の実施の形態例について説明する。
図１７（ａ）は、放電ランプ組立体７１にかかるランプ固定板７２を示す正面図、図１７（ｂ）は、放電ランプ組立体７１における要部を示す説明図である。
【００８８】
この第５の実施の形態例にかかる放電ランプ組立体７１は、第１の実施の形態例にかかる放電ランプ組立体３から第３の方向Ｚへの位置調整機構の構成を変更したものである。そのため、ここでは、第３の方向Ｚへの位置調整機構について説明し、放電ランプ組立体３と共通する部分には同一の符号を付して重複した説明を省略する。
【００８９】
図１７（ａ）及び図１７（ｂ）に示すように、この放電ランプ組立体７１におけるランプ固定板７２は、略円形の平板状の部材と、円筒状の部材を組み合わせたような形状をなしている。このランプ固定板７２の中心には、筒部７２ａが設けられている。
【００９０】
筒部７２ａの側面部には、ねじ孔７２ｂが形成されている。また、筒部７２ａを間に挟むようにして、２つの調整孔７２ｃ、７２ｃが筒部７２ａの両側に設けられている。この調整孔７２ｃは、第１の実施の形態例にかかる調整孔２２ｂと同一の役割を有するものであるため、ここでは、その説明は省略する。
【００９１】
図１７（ｂ）に示すように、放電ランプ２１の第１のランプ側口金２４ａには、略円柱状の固定部の役割を有するアダプタ部材７５が取り付けられている。このアダプタ部材７５は、ランプ固定板７２の筒部７２ａの筒孔７２ｄに挿入される。そして、アダプタ部材７５は、イモネジ７６を介してランプ固定板７２に固定される。
【００９２】
この第５の実施の形態例にかかる放電ランプ組立体７１における放電ランプ２１の第３の方向Ｚへの位置合わせは、次のようにして行われる。まず、アダプタ部材７５を放電ランプ２１の第１のランプ側口金２４ａに固定する。そして、アダプタ部材７５をランプ固定板７２の筒部７２ａの筒孔７２ｄに挿入すると共に、イモネジ７６を筒孔７２ａに設けたねじ孔７２ｂに挿入し、仮組を行う。
【００９３】
次に、放電ランプ２１を第３の方向Ｚに移動させて、第３の方向Ｚの位置合わせを行う。そして、第３の方向Ｚの位置の調整が終了すると、イモネジ７６をねじ込む。その結果、放電ランプ２１は、第３の方向Ｚの位置を調整した状態で、アダプタ部材７５を介してランプ固定板７２に固定される。
【００９４】
なお、アダプタ部材７５の形状は、略円柱状に限定されるものではなく、四角柱や六角柱等の角柱状に形成してもよい。そして、ランプ固定板７２の筒部７２ａの形状は、アダプタ部材７５の形状に対応して形成されるものである。また、アダプタ部材７５を用いずに、放電ランプ２１の第１のランプ側口金２４ａをランプ固定板７２の筒部７２ａに直接挿入し、固定してもよい。
【００９５】
その他の構成は、第１の実施の形態にかかる放電ランプ組立体３と同様であるため、それらの説明は省略する。このような構成を有する放電ランプ組立体７１によっても、上述した第１の実施の形態例にかかる放電ランプ組立体３と同様の作用効果を得ることができる。
【００９６】
なお、本考案は上述しかつ図面に示した実施の形態に限定されるものではなく、実用新案登録請求の範囲に記載した考案の要旨を逸脱しない範囲内で種々の変形実施が可能である。上述した実施の形態例では、紫外線光を照射する例を説明したが、これに限定されるものではなく、可視光を照射する光照射装置であってもよい。
【００９７】
更に、上述した第１の実施の形態例にかかる放電ランプ組立体３や第２の実施の形態例にかかる放電ランプ組立体４１で説明したが、固定ねじの頭部とランプ固定板との間に、平座金やスプリングワッシャ等の座金を介在させてもよい。この場合、調整孔の直径は、座金の直径よりも小さく設定される。
【符号の説明】
【００９８】
１…光照射装置、  ２…筐体、  ３，４１，５１，６１，７１…放電ランプ組立体、  ４…集光ミラー（集光手段）、  ６…ライトガイド（導光手段）、  ７…ランプホルダ、  ２２，４２，６２，７２…ランプ固定板、  ２２ａ，４２ａ，５３ａ，６２ａ…貫通孔、  ２２ｂ，７２ｃ…調整孔、  ２３，６３…固定用口金、  ２３ａ，６３ａ…挿入孔、  ２３ｂ，６３ｂ…固定穴、  ２４…発光管、  ２４ａ…第１のランプ側口金（ランプ側口金）、  ２４ｂ…第２のランプ側口金、  ２５…固定部、  ２６…陽極、  ２７…陰極、  ２９…スペーサ、  ３１…固定ねじ（固定機構）、  ３１ａ…ねじ部、  ３１ｂ…頭部、  ３２…ナット、  ３３，４５…座金、  ４２ｂ，５２ｂ…第１の調整孔、  ４２ｃ，５３ｂ…第２の調整孔、  ５２…第１のランプ固定板、  ５２ａ…挿入孔、  ５３…第２のランプ固定板、  ６３ｃ…溝、  ６４…固定爪（固定機構）、  ６４ａ…長孔、  ６４ｂ…突出部、  ７２ａ…筒部、  ７２ｂ…ねじ孔、  ７２ｄ…筒孔、  ７５…アダプタ部材、  ７６…イモネジ、  Ｆ１…第１の焦点、  Ｆ２…第２の焦点、  Ｐ…輝点、  Ｘ…第１の方向、  Ｙ…第２の方向、  Ｚ…第３の方向
【図１】
0003166328.tif 000003
【図２】
0003166328.tif 000004
【図３】
0003166328.tif 000005
【図４】
0003166328.tif 000006
【図５】
0003166328.tif 000007
【図６】
0003166328.tif 000008
【図７】
0003166328.tif 000009
【図８】
0003166328.tif 000010
【図９】
0003166328.tif 000011
【図１０】
0003166328.tif 000012
【図１１】
0003166328.tif 000013
【図１２】
0003166328.tif 000014
【図１３】
0003166328.tif 000015
【図１４】
0003166328.tif 000016
【図１５】
0003166328.tif 000017
【図１６】
0003166328.tif 000018
【図１７】
0003166328.tif 000019